(57)【特許請求の範囲】
【請求項１】
複数個の物品を収納する部位である凹所を有する第１の部材と、この第１の部材の前記凹所を覆うと共に、前記第１の部材に対して折曲自在に接続された第２の部材とを有する包装体と、
前記第２の部材に設けられた第１の係止部と、
前記第２の部材に設けられ、前記第１の係止部から離間した位置にある第２の係止部と、
前記第１の部材に設けられ、前記第１の係止部に係止される第１の被係止部と、
前記第１の部材に設けられ、前記第２の係止部に係止される第２の被係止部と、
前記物品に関する情報が表示され、第１の孔と第２の孔を有する商品表示体とを備え、
前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、
前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様と、選択的にとることができる
ことを特徴とする商品表示体付き包装体の包装方法。
【請求項２】
複数個の物品を収納する部位である凹所を有する第１の部材と、この第１の部材の前記凹所を覆うと共に、前記第１の部材に対して折曲自在に接続された第２の部材とを有する包装体と、
前記第１の部材に設けられた第１の係止部と、
前記第１の部材に設けられ、前記第１の係止部に離間した位置にある第２の係止部と、
前記第２の部材に設けられ、前記第１の係止部に係止される第１の被係止部と、
前記第２の部材に設けられ、前記第２の係止部に係止される第２の被係止部と、
前記物品に関する情報が表示され、第１の孔と第２の孔を有する商品表示体とを備え、
前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、
前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様と、選択的にとることができる
ことを特徴とする商品表示体付き包装体の包装方法。
【請求項３】
物品を収納する部位である凹所を有する第１の部材と、この第１の部材の前記凹所を覆うと共に、前記第１の部材に対して折曲自在に接続された第２の部材とを有する包装体と、
前記第１の部材又は前記第２の部材に設けられた係止部と、
前記第１の部材、前記第２の部材の内、前記係止部が設けられていない方の前記部材に設けられ、前記係止部に係止される被係止部と、
前記物品に関する情報が表示され、孔を有する商品表示体とを備え、
前記孔を介して前記係止部を前記被係止部に係止させて、前記商品表示体を前記包装体の外方に張り出させた第１の態様と、
前記係止部を前記被係止部に係止させて、前記商品表示体を前記包装体の外方にはみ出ないように、前記第１の部材と前記第２の部材の間に前記商品表示体を位置させた第２の態様と、選択的にとることができる
ことを特徴とする商品表示体付き包装体の包装方法。
【請求項４】
複数個の物品を収納する部位である凹所を有する第１の部材と、この第１の部材の前記凹所を覆うと共に、前記第１の部材に対して折曲自在に接続された第２の部材とを有する包装体と、
前記第２の部材に設けられた第１の係止部と、
前記第２の部材に設けられ、前記第１の係止部から離間した位置にある第２の係止部と、
前記第１の部材に設けられ、前記第１の係止部に係止される第１の被係止部と、
前記第１の部材に設けられ、前記第２の係止部に係止される第２の被係止部と、
前記物品に関する情報が表示され、第１の孔と第２の孔を有する商品表示体とを備え、
前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、
前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様とを選択的にとることができる構成とした
ことを特徴とする商品表示体付き包装体。
【請求項５】
複数個の物品を収納する部位である凹所を有する第１の部材と、この第１の部材の前記凹所を覆うと共に、前記第１の部材に対して折曲自在に接続された第２の部材とを有する包装体と、
前記第１の部材に設けられた第１の係止部と、
前記第１の部材に設けられ、前記第１の係止部に離間した位置にある第２の係止部と、
前記第２の部材に設けられ、前記第１の係止部に係止される第１の被係止部と、
前記第２の部材に設けられ、前記第２の係止部に係止される第２の被係止部と、
前記物品に関する情報が表示され、第１の孔と第２の孔を有する商品表示体とを備え、
前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、
前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様とを選択的にとることができる構成とした
ことを特徴とする商品表示体付き包装体。
【請求項６】
物品を収納する部位である凹所を有する第１の部材と、この第１の部材の前記凹所を覆うと共に、前記第１の部材に対して折曲自在に接続された第２の部材とを有する包装体と、
前記第１の部材又は前記第２の部材に設けられた係止部と、
前記第１の部材、前記第２の部材の内、前記係止部が設けられていない方の前記部材に設けられ、前記係止部に係止される被係止部と、
前記物品に関する情報が表示され、孔を有する商品表示体とを備え、
前記孔を介して前記係止部を前記被係止部に係止させて、前記商品表示体を前記包装体の外方に張り出させた第１の態様と、
前記係止部を前記被係止部に係止させて、前記商品表示体を前記包装体の外方にはみ出ないように、前記第１の部材と前記第２の部材の間に前記商品表示体を位置させた第２の態様とを選択的にとることができる構成とした
ことを特徴とする商品表示体付き包装体。
【発明の詳細な説明】
【技術分野】
【０００１】
本発明は、商品表示体付き包装体及び商品表示体付き包装体の包装方法に係り、特に、使用勝手を向上させた商品表示体付き包装体及び商品表示体付き包装体の包装方法に関する。
【背景技術】
【０００２】
従来、透明なプラスチック材料を用いて成形したブリスター（容器）を台紙に接着剤で一体化させて、ブリスターと台紙で商品を包装するようにしたものがあり、商品が、例えば、複数のフックの場合、透明なプラスチック材料を用いて成形したブリスターも複数のフックの形状に合わせるようになっている。
【発明の概要】
【発明が解決しようとする課題】
【０００３】
ところが、フックを取り出す場合、ブリスター（容器）を台紙から剥がさなければならず、一旦、剥がすと、ブリスター（容器）と台紙との間に、隙間が形成されるため、使用しないで、残存したフックを保管する場合、例えば、持ち運び中に、紛失してしまい、使用勝手が良好でないという問題点があった。
【０００４】
本発明は、前記問題点を考慮してなされたもので、使用勝手を向上させた商品表示体付き包装体を提供することを目的とする。
【課題を解決するための手段】
【０００５】
請求項１記載の商品表示体付き包装体の包装方法は、複数個の物品を収納する部位である凹所を有する第１の部材と、この第１の部材の前記凹所を覆うと共に、前記第１の部材に対して折曲自在に接続された第２の部材とを有する包装体と、前記第２の部材に設けられた第１の係止部と、前記第２の部材に設けられ、前記第１の係止部から離間した位置にある第２の係止部と、前記第１の部材に設けられ、前記第１の係止部に係止される第１の被係止部と、前記第１の部材に設けられ、前記第２の係止部に係止される第２の被係止部と、前記物品に関する情報が表示され、第１の孔と第２の孔を有する商品表示体とを備え、前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様と、選択的にとることができるものである。
【０００６】
また、請求項２記載の商品表示体付き包装体の包装方法は、複数個の物品を収納する部位である凹所を有する第１の部材と、この第１の部材の前記凹所を覆うと共に、前記第１の部材に対して折曲自在に接続された第２の部材とを有する包装体と、前記第１の部材に設けられた第１の係止部と、前記第１の部材に設けられ、前記第１の係止部に離間した位置にある第２の係止部と、前記第２の部材に設けられ、前記第１の係止部に係止される第１の被係止部と、前記第２の部材に設けられ、前記第２の係止部に係止される第２の被係止部と、前記物品に関する情報が表示され、第１の孔と第２の孔を有する商品表示体とを備え、前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様と、選択的にとることができるものである。
【０００７】
また、請求項３記載の商品表示体付き包装体の包装方法は物品を収納する部位である凹所を有する第１の部材と、この第１の部材の前記凹所を覆うと共に、前記第１の部材に対して折曲自在に接続された第２の部材とを有する包装体と、前記第１の部材又は前記第２の部材に設けられた係止部と、前記第１の部材、前記第２の部材の内、前記係止部が設けられていない方の前記部材に設けられ、前記係止部に係止される被係止部と、前記物品に関する情報が表示され、孔を有する商品表示体とを備え、前記孔を介して前記係止部を前記被係止部に係止させて、前記商品表示体を前記包装体の外方に張り出させた第１の態様と、前記係止部を前記被係止部に係止させて、前記商品表示体を前記包装体の外方にはみ出ないように、前記第１の部材と前記第２の部材の間に前記商品表示体を位置させた第２の態様と、選択的にとることができるものである。
【００１０】
また、請求項４記載の商品表示体付き包装体は、複数個の物品を収納する部位である凹所を有する第１の部材と、この第１の部材の前記凹所を覆うと共に、前記第１の部材に対して折曲自在に接続された第２の部材とを有する包装体と、前記第２の部材に設けられた第１の係止部と、前記第２の部材に設けられ、前記第１の係止部から離間した位置にある第２の係止部と、前記第１の部材に設けられ、前記第１の係止部に係止される第１の被係止部と、前記第１の部材に設けられ、前記第２の係止部に係止される第２の被係止部と、前記物品に関する情報が表示され、第１の孔と第２の孔を有する商品表示体とを備え、前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様とを選択的にとることができる構成としたものである。
【００１１】
また、請求項５記載の商品表示体付き包装体は、複数個の物品を収納する部位である凹所を有する第１の部材と、この第１の部材の前記凹所を覆うと共に、前記第１の部材に対して折曲自在に接続された第２の部材とを有する包装体と、前記第１の部材に設けられた第１の係止部と、前記第１の部材に設けられ、前記第１の係止部に離間した位置にある第２の係止部と、前記第２の部材に設けられ、前記第１の係止部に係止される第１の被係止部と、前記第２の部材に設けられ、前記第２の係止部に係止される第２の被係止部と、前記物品に関する情報が表示され、第１の孔と第２の孔を有する商品表示体とを備え、前記第１の孔を介して前記第１の係止部を前記第１の被係止部に、前記第２の孔を介して前記第２の係止部を前記第２の被係止部に、それぞれ係止させて、前記商品表示体を前記包装体の外方に張り出させた第１の態様と、前記第１の係止部を前記第１の被係止部に、前記第２の係止部を前記第２の被係止部に、それぞれ係止させて、前記商品表示体を前記包装体の外方にはみ出ないように、前記第１の部材と前記第２の部材の間に前記商品表示体を位置させた第２の態様とを選択的にとることができる構成としたものである。
【００１２】
また、請求項６記載の商品表示体付き包装体は、物品を収納する部位である凹所を有する第１の部材と、この第１の部材の前記凹所を覆うと共に、前記第１の部材に対して折曲自在に接続された第２の部材とを有する包装体と、前記第１の部材又は前記第２の部材に設けられた係止部と、前記第１の部材、前記第２の部材の内、前記係止部が設けられていない方の前記部材に設けられ、前記係止部に係止される被係止部と、前記物品に関する情報が表示され、孔を有する商品表示体とを備え、前記孔を介して前記係止部を前記被係止部に係止させて、前記商品表示体を前記包装体の外方に張り出させた第１の態様と、前記係止部を前記被係止部に係止させて、前記商品表示体を前記包装体の外方にはみ出ないように、前記第１の部材と前記第２の部材の間に前記商品表示体を位置させた第２の態様とを選択的にとることができる構成としたものである。
【発明の効果】
【００１５】
また、請求項１記載の商品表示体付き包装体の包装方法によれば、商品販売時、商品表示体を包装体の外方に張り出させた第１の態様で使用することにより、需要者に商品内容をアピールすることができ、
しかも、商品を購入し、複数個の物品の内、使用されずに物品が残存した時、商品表示体を包装体の外方にはみ出ないように、第１の部材と第２の部材の間に商品表示体を位置させた第２の態様で使用することにより、残存した物品を該物品に関する情報が表示された商品表示体と共に包装体内にコンパクトに収納して、使用勝手を向上させることができる。
【００１６】
また、請求項２記載の商品表示体付き包装体の包装方法によれば、商品販売時、商品表示体を包装体の外方に張り出させた第１の態様で使用することにより、需要者に商品内容をアピールすることができ、
しかも、商品を購入し、複数個の物品の内、使用されずに物品が残存した時、商品表示体を包装体の外方にはみ出ないように、第１の部材と第２の部材の間に商品表示体を位置させた第２の態様で使用することにより、残存した物品を該物品に関する情報が表示された商品表示体と共に包装体内にコンパクトに収納して、使用勝手を向上させることができる。
【００１７】
また、請求項３記載の商品表示体付き包装体によれば、商品販売時、商品表示体を包装体の外方に張り出させた第１の態様で使用することにより、需要者に商品内容をアピールすることができ、
しかも、商品を購入し、物品を使用しない時、商品表示体を包装体の外方にはみ出ないように、第１の部材と第２の部材の間に商品表示体を位置させた第２の態様で使用することにより、物品と該物品に関する情報が表示された商品表示体と共に包装体内にコンパクトに収納して、使用勝手を向上させることができる。
【００１９】
また、請求項４記載の商品表示体付き包装体によれば、商品販売時、商品表示体を包装体の外方に張り出させた第１の態様で使用することにより、需要者に商品内容をアピールすることができ、
しかも、商品を購入し、複数個の物品の内、使用されずに物品が残存した時、商品表示体を包装体の外方にはみ出ないように、第１の部材と第２の部材の間に商品表示体を位置させた第２の態様で使用することにより、残存した物品を該物品に関する情報が表示された商品表示体と共に包装体内にコンパクトに収納して、使用勝手を向上させることができる。
【００２０】
また、請求項５記載の商品表示体付き包装体によれば、商品販売時、商品表示体を包装体の外方に張り出させた第１の態様で使用することにより、需要者に商品内容をアピールすることができ、
しかも、商品を購入し、複数個の物品の内、使用されずに物品が残存した時、商品表示体を包装体の外方にはみ出ないように、第１の部材と第２の部材の間に商品表示体を位置させた第２の態様で使用することにより、残存した物品を該物品に関する情報が表示された商品表示体と共に包装体内にコンパクトに収納して、使用勝手を向上させることができる。
【００２１】
また、請求項６記載の商品表示体付き包装体によれば、商品販売時、商品表示体を包装体の外方に張り出させた第１の態様で使用することにより、需要者に商品内容をアピールすることができ、
しかも、商品を購入し、物品を使用しない時、商品表示体を包装体の外方にはみ出ないように、第１の部材と第２の部材の間に商品表示体を位置させた第２の態様で使用することにより、物品と該物品に関する情報が表示された商品表示体と共に包装体内にコンパクトに収納して、使用勝手を向上させることができる。
【図面の簡単な説明】
【００２３】
【図１】図１は、本発明の一実施例の商品表示体付き包装体の商品表示体を包装体の外方に張り出させた第１の態様を示した概略的正面図である。
【図２】図２は、図１の２−２線による概略的断面図である。
【図３】図３は 図１の商品表示体付き包装体の商品販売時の一態様を示した概略的斜視図である。
【図４】図４は、図１の商品表示体付き包装体の商品表示体を包装体の外方にはみ出ないように、第１の部材と第２の部材の間に商品表示体を位置させた第２の態様を示した概略的正面図である。
【図５】図５は、図４の５−５線による概略的断面図である。
【図６】図６は、図５の一部を拡大して示す概略的一部拡大断面図である。
【図７】図７は、図６の７−７線による概略的断面図である。
【図８】図８は、図６の第１の係合部（第２の係合部）と第１の被係合部（第２の被係合部）とが係合する前の状態を示した概略的断面図である。
【図９】図９は、図１の商品表示体付き包装体を分解して示す概略的分解斜視図である。
【図１０】図１０は、図１の商品表示体付き包装体と異なる他の実施例の商品表示体付き包装体の概略的正面図で、商品表示体を包装体の外方に張り出させた第１の態様を示ている。
【図１１】図１１は、図１０の１１−１１線による概略的断面図である。
【図１２】図１２は、図１０の商品表示体付き包装体に商品表示体が装着される前の状態を示す概略的斜視図である。
【図１３】図１３は、図１０の商品表示体付き包装体の商品表示体を包装体の外方にはみ出ないように、第１の部材と第２の部材の間に商品表示体を位置させた第２の態様を示した概略的斜視図である。
【図１４】図１４は、図１３の１４−１４線による概略的断面図である。
【図１５】図１５は、図１３の商品表示体付き包装体の係止部が被係止部に係止される前の状態を示す概略的斜視図である。
【発明を実施するための形態】
【００２４】
本発明の一実施例の商品表示体付き包装体及び商品表示体付き包装体の包装方法を図面を参照して説明する。
図１乃至図５に示すＳは商品表示体付き包装体で、商品表示体付き包装体Ｓは、物品３を収納する包装体１と物品３に関する情報が表示された商品表示体２とを備えている。
包装体１は、例えば、透明又は半透明で形成された容器で、物品３（例えば、複数個の物品、該物品はフックである。）を収納する部位である凹所１１Ｃを有する第１の部材１１と、この第１の部材１１の凹所１１Ｃを覆うと共に、第１の部材１１に対して折曲自在に接続された第２の部材１２とを有している（図９参照）。
【００２５】
また、図８に示す１２Ａは、第２の部材１２に設けられた第１の係止部（例えば、凸部）で、１２Ｂは、第２の部材１２に設けられた第２の係止部（例えば、凸部）で、第２の係止部１２Ｂは、第１の係止部１２Ａから離間した位置にある。
また、１１ａは、第１の部材１１に設けられ、第１の係止部１２Ａに係止される第１の被係止部（例えば、凹部）で、１１ｂは、第１の部材１１に設けられ、第２の係止部１２Ｂに係止される第２の被係止部（例えば、凹部）で、第１の被係止部１１ａと第２の被係止部１１ｂは、第１の係止部１２Ａと第２の係止部１２Ｂにそれぞれ対応して離間している。
なお、本実施例の包装体１にあっては、第１の部材１１を接続部位１０を介して第２の部材１２に接続しているが、本願発明にあっては、これに限らず、接続部位１０を無くして、第１の部材１１と第２の部材１２とを分離し、第１の係止部１２Ａ、第２の係止部１２Ｂ、第１の被係止部１１ａ及び第２の被係止部１１ｂの他に、分離した側にも、図示しないが、第１の部材１１に被係止部（例えば、凹部）、該被係止部に係止する第２の部材１２に係止部（例えば、凸部）を設けて、第１の部材１１と第２の部材１２とを分離自在としても良い。
【００２６】
また、商品表示体２は、物品３に関する情報（図示せず）が表示され、第１の孔２ａと第２の孔２ｂを有し、例えば、四角形のシート状のものである。物品３に関する情報は、図示しないが、商品表示体２の表面又は裏面に、例えば、物品３の使用状態を表示した写真、使用の適否を文字等で印刷して表示したものであり、物品３がフックの場合、取り付け可能な場所の適否を表示することができる。
そして、図１乃至３（図８参照）に示すように、第１の孔２ａを介して第１の係止部１２Ａを第１の被係止部１１ａに、第２の孔２ｂを介して第２の係止部１２Ｂを第２の被係止部１１ｂに、それぞれ係止させて、商品表示体２を包装体１の外方に張り出させた第１の態様をとることができる。
この第１の態様は、図３に示すように、支持部材４に第３の孔２ｃを通して、商品販売時、商品表示体２を包装体１の外方に張り出させて使用することにより、需要者に商品内容をアピールすることができる。
【００２７】
また、図４乃至９に示すように、第１の係止部１２Ａを第１の被係止部１１ａに、第２の係止部１２Ｂを第２の被係止部１１ｂに、それぞれ係止させて、商品表示体２を包装体１の外方にはみ出ないように、第１の部材１１と第２の部材１２の間に商品表示体２を位置させた第２の態様をとることができる。
この第２の態様は、商品を購入し、複数個の物品３の内、使用されずに物品３が残存した時、商品表示体２を包装体１の外方にはみ出ないように、第１の部材１１と第２の部材１２の間に商品表示体２を位置させて使用することにより、残存した物品３を該物品３に関する情報が表示された商品表示体２と共に包装体１内にコンパクトに収納して、使用勝手を向上させることができる。なお、図５及び図９に示す５は、物品３を包装体１内で支持する支持片である。
【００２８】
従って、上述した商品表示体付き包装体Ｓ（又は商品表示体付き包装体の包装方法）によれば、商品表示体２を包装体１に保持させると共に、商品表示体２を包装体１の外方に向かって張り出させた第１の態様と、商品表示体２を包装体１の外方にはみ出ないように、包装体１内に商品表示体２を位置させた第２の態様とを選択的にとることができる構成としたため、商品販売時、図３に示すように、商品表示体２を包装体１の外方に張り出させた第１の態様で使用することにより、需要者に商品内容をアピールすることができ、かも、商品を購入し、物品３を使用しない時、図４に示すように、商品表示体２を包装体１の外方にはみ出ないように、包装体１内に商品表示体２を位置させた第２の態様で使用することにより、使用しない物品３を該物品３に関する情報が表示された商品表示体２と共に包装体１内にコンパクトに収納して、使用勝手を向上させることができる。
【００２９】
なお、上述した実施例においては、第１の係止部１２Ａ及び第２の係止部１２Ｂを第２の部材１２に、第１の被係止部１１ａ及び第２の被係止部１１ｂを第１の部材１１に、それぞれ設けるようにしたが、本願発明にあっては、これに限らず、図示しないが、逆の構成、つまり、第１の係止部１２Ａ及び第２の係止部１２Ｂを第１の部材１１に、第１の被係止部１１ａ及び第２の被係止部１１ｂを第２の部材１２に、それぞれ設けるようにしても良い。
また、係止部を第１の係止部１２Ａ、第２の係止部１２Ｂ、被係止部を第１の被係止部１１ａ、第２の被係止部１１ｂとそれぞれ複数設けたが、本願発明にあっては、これに限らず、図示しないが、それぞれ単数でも良い。単数の場合、図示しないが、係止部は、第１の部材１１又は第２の部材１２に設けられ、該係止部に係止される被係止部は、第１の部材１１、第２の部材１２の内、前記係止部が設けられていない方の前記部材に設けられることとなり、その結果、商品表示体２に設けた孔（２ａ又は２ｂ）を介して前記係止部を前記被係止部に係止させて、商品表示体２を包装体１の外方に張り出させた第１の態様と、前記係止部を前記被係止部に係止させて、商品表示体２を包装体１の外方にはみ出ないように、第１の部材１１と第２の部材１２の間に商品表示体２を位置させた第２の態様と、選択的にとることができる。
【００３０】
また、上述した実施例においては、第１の態様と第２の態様とに使用する商品表示体２は、そのまま利用できる大きさ、つまり、商品表示体２を包装体１の外方にはみ出ない寸法に設定したが、そのままでは、第２の態様をとることができないものにあっては、商品表示体２を折曲して包装体１の外方にはみ出ないようにしても良い。
【００３１】
また、上述した実施例においては、商品表示体２を包装体１に保持させると共に、商品表示体２を包装体１の外方に向かって張り出させた第１の態様、商品表示体２を包装体１の外方にはみ出ないように、包装体１内に商品表示体２を位置させた第２の態様、いずれの態様において、第１の係止部１２Ａを第１の被係止部１１ａに、第２の係止部１２Ｂを第２の被係止部１１ｂに、それぞれ係止するようにして保持した保持手段であったが、保持手段は、本願発明にあっては、これに限らず、例えば、図１０乃至図１２に示すように、ホッチキスＨ（又は接着テープ、接着剤等）で、商品表示体２を包装体１に保持するようにしても良い。
また、図１０乃至図１２に示す「商品表示体２を包装体１に保持させると共に、商品表示体２を包装体１の外方に向かって張り出させた第１の態様」の商品表示体付き包装体Ｓにあっては、商品表示体２を包装体１の外方にはみ出ないように、第１の部材１１と第２の部材１２の間に商品表示体２を位置させる第２の態様は、図１３乃至図１５に記載のものとなる。かかる場合の包装体１の保持手段は、図１５に示すように、第２の部材１２に設けた係止部１２Ｄを第１の部材１１に設けた被係止部１１Ｄに係止して行うことができる。係止部１２Ｄ、被係止部１１Ｄに替えて、ホッチキス、接着テープ、接着剤等を使用しても良い。
【符号の説明】
【００３２】
Ｓ      商品表示体付き包装体
１      包装体
２      商品表示体
３      物品
【図１】
0005613541.tif 000002
【図２】
0005613541.tif 000003
【図３】
0005613541.tif 000004
【図４】
0005613541.tif 000005
【図５】
0005613541.tif 000006
【図６】
0005613541.tif 000007
【図７】
0005613541.tif 000008
【図８】
0005613541.tif 000009
【図９】
0005613541.tif 000010
【図１０】
0005613541.tif 000011
【図１１】
0005613541.tif 000012
【図１２】
0005613541.tif 000013
【図１３】
0005613541.tif 000014
【図１４】
0005613541.tif 000015
【図１５】
0005613541.tif 000016